(57)【要約】【課題】  天板カバー閉蓋時はコンロを燃焼不可とするインターロック機構を備えた天板カバー付コンロを提供する。【解決手段】使用者が操作ツマミを廻して点火操作を行うと、マイクロスイッチ１５ａ、１５ｂがＯＮかＯＦＦかを判定する。いずれか一方、または両方がＯＦＦのときは、以後の点火ステップに進まない。使用者は点火が行われないことから天板カバーが開いていないことを認知することになる。マイクロスイッチ１５ａ、１５ｂの両方がＯＮのときは、点火スパークを開始し、次いでガス弁１２を開弁する。開弁に伴いバーナ４ａに都市ガスが供給され、燃焼が開始される。なお、バーナ燃焼中に誤ってストッパー３ａ、３ｂが取り外される等によりマイクロスイッチ１５ａ、１５ｂの一方又は両方がＯＦＦになると、制御部１３はこれを検知しガス弁１２に対して閉弁指示する。【選択図】図３ 
2005326040.tif 000002
【特許請求の範囲】
【請求項１】
天板奥側の支軸を中心に開閉可能に設けられた天板カバーを備えたコンロであって、前記天板カバーを開蓋状態に維持するためのストッパーと、前記ストッパーを挿入するためのストッパー挿入部と、開蓋状態において前記ストッパーが前記ストッパー挿入部に挿入されていないときは燃焼不可とするインターロック機構と、を備えて成ることを特徴とするコンロ。
【請求項２】
前記ストッパーを前記天板カバー側面に回動可能に取り付けて成ることを特徴とする請求項１に記載のコンロ。
【請求項３】
天板奥側の支軸を中心に開閉可能に設けられた天板カバーを備えたコンロであって、前記天板カバー内側に温度検知センサと、前記温度検知センサの検知温度が所定の値を超えるときは燃焼不可とするインターロック機構と、を備えて成ることを特徴とするコンロ。
【請求項４】
天板奥側の支軸を中心に開閉可能に設けられた天板カバーを備えたコンロであって、前記天板カバーは、前面に閉蓋状態において前面操作パネルを隠蔽する操作パネル覆いを備えて成ることを特徴とするコンロ。
【請求項５】
前記天板カバーは、耐熱ガラスで構成されて成ることを特徴とする請求項４に記載のインターロック機構を備えてコンロ。
【請求項６】
請求項４又は５において、さらに、請求項１乃至３のいずれか一項に記載のインターロック機構を備えて成ることを特徴とするコンロ。
【発明の詳細な説明】
【技術分野】
【０００１】
本発明はコンロに関し、特に天板カバーを備えたコンロに関する。
【背景技術】
【０００２】
コンロ用天板カバー（蓋）は、不使用時に閉蓋することにより天板の汚れを隠すという美観上の目的や、天板カバー上に食器や調理具などを置く目的で一部のコンロに取り付けられている。しかし、ユーザが誤って天板カバーを閉めたまま点火したり、コンロ使用中に不注意又は不慮の振動等により天板カバーが閉じてしまった場合、天板カバーが熱せられて火傷や天板カバーの破損・変形の原因となる。また、倒れ落ちてくる天板カバーに調理なべが当たる等による事故のおそれもある。このような問題を解決するために、本出願人により天板カバーにインターロック機構を設けることについての技術が提案されている（特開平２００２−３９５４４号公報）。この技術は、天板カバーが閉じられたことを検知するセンサをコンロ台の上面に設け、センサをバーナの着火スイッチと連動させるというものである。
【特許文献１】特開平２００２−３９５４４号公報
【発明の開示】
【発明が解決しようとする課題】
【０００３】
しかしながら、当該文献にはインターロック機構についての具体的開示がない。そこで、本発明は、安全性の高いインターロック機構の具体的構成を提案するとともに、閉蓋防止又は閉蓋時の安全確保に関する技術を提供するものである。
【課題を解決するための手段】
【０００４】
本発明は以下の内容をその要旨とする。すなわち、
（１）天板奥側の支軸を中心に開閉可能に設けられた天板カバーを備えたコンロであって、前記天板カバーを開蓋状態に維持するためのストッパーと、前記ストッパーを挿入するためのストッパー挿入部と、開蓋状態において前記ストッパーが前記ストッパー挿入部に挿入されていないときは燃焼不可とするインターロック機構と、を備えて成ることを特徴とするコンロ。
【０００５】
本発明によれば、誤って天板カバーを閉めたままコンロを使用するというミスを防止することができる。さらに、ストッパー挿入により天板カバーが不可避的に開蓋状態に維持されるため、開蓋中に天板カバーが倒れ落ちるという不都合を防止することができる。
（２）前記ストッパーを前記天板カバー側面に回動可能に取り付けて成ることを特徴とする（１）に記載のコンロ。
本発明についても上記（１）と同様な効果がある。さらに、ストッパーが天板カバーに常に固定されているため、ストッパーを紛失するおそれがないという効果がある。
（３）天板奥側の支軸を中心に開閉可能に設けられた天板カバーを備えたコンロであって、前記天板カバー内側に温度検知センサと、前記温度検知センサの検知温度が所定の値を超えるときは燃焼不可とするインターロック機構と、を備えて成ることを特徴とするコンロ。
【０００６】
本発明によれば、誤って天板カバーを閉めたままコンロを使用しても、インターロック機構により天板カバーが高温になる前に燃焼停止するため、火傷や天板カバーの破損・変形等を防止することができる。
（４）天板奥側の支軸を中心に開閉可能に設けられた天板カバーを備えたコンロであって、前記天板カバーは、前面に閉蓋状態において前面操作パネルを隠蔽する覆いを備えて成ることを特徴とするコンロ。
前面操作パネルを隠蔽する覆いを設けることにより、天板カバー閉蓋の状態で使用者がバーナ点火操作をすることが物理的に不可能であり、安全性がより向上する。
（５）前記天板カバーは、耐熱ガラスで構成されて成ることを特徴とする（４）に記載のインターロック機構を備えてコンロ。
天板カバーを耐熱ガラスで構成することにより、使用中に誤って天板カバーを閉じてしまっても容易に燃焼状態であることを確認できるという効果がある。また、耐熱ガラスに模様を施すことにより天板カバーのデザイン性をより向上させることができる。
（６）上記（４）又は（５）において、さらに、上記（１）乃至（３）のいずれか一に記載のインターロック機構を備えて成ることを特徴とするコンロ。
【発明の効果】
【０００７】
本発明によれば、天板カバー付コンロの閉蓋時使用に伴う種々の問題を解消することができる。
【発明を実施するための最良の形態】
【０００８】
以下、本発明に係るコンロの実施形態について、図１乃至１０を参照してさらに詳細に説明する。重複を避けるため、各図において同一構成には同一符号を用いて示している。なお、本発明の範囲は特許請求の範囲記載のものであって、以下の実施形態に限定されないことはいうまでもない。
【０００９】
＜ストッパー挿入タイプ＞
図１及び図２は、本発明の一実施形態であるストッパー挿入タイプに係る天板カバー付コンロ１の構成を示す図であり、図１はストッパー未挿入時、図２はストッパー挿入時における開蓋状態を示している。
【００１０】
図１を参照して、ドロップインタイプのコンロ１は、本体２上面の天板８に３個のバーナ４ａ乃至４ｃを備えている。天板８の前面側には、グリル扉１６、バーナ４ａ〜４ｃ及びグリルバーナの点火及び操作ツマミ９ａ乃至９ｄを備えている。グリル扉１６の内部には不図示のグリルバーナが格納されている。天板８の奥側中央にはグリル排気口５が配置されており、さらにその奥側に天板カバー６が取り付けられている。天板カバー６はヒンジにより開閉可能に構成されている。天板８の左右奥側には、ストッパー挿入口７ａ、７ｂが設けられている。図２に示すように、開蓋状態でストッパー３ａ、３ｂをストッパー挿入口７ａ、７ｂに挿入することにより、天板カバーはストッパー３ａ、３ｂの側面に当接し、開蓋状態を維持できるように構成されている。
【００１１】
次に本実施形態におけるインターロック機構について説明する。図３は、コンロ１のインターロック機構１Ａの構成を示す図である。図３を参照して、コンロ１のインターロック機構１Ａは、ＣＰＵ、ＲＯＭ、ＲＡＭを備えたマイクロコンピューターを主要構成とし、インターロック制御を司る制御部１３、ストッパー挿入口７ａ、７ｂ内部に設けられているマイクロスイッチ１５ａ、１５ｂ、バーナ４ａに都市ガスを供給するガス通路１１、ガス通路１１の経路中に配設されるガス弁１２、点火用スパークを飛ばすための点火プラグ１４、スパーク電圧を供給する点火ケーブル１７、操作ツマミ９ａ、及び各構成要素と制御部１３間の信号授受のための信号ラインＣ１乃至Ｃ４を備えている。なお、実際にはガス弁１２と操作ツマミ９ａは一体に構成されているが、ここでは便宜上別個の構成として示している。
【００１２】
次に図４を参照して、インターロック機構１Ａにおける制御部１３が行う制御フローについて説明する。使用者が操作ツマミを廻して点火操作を行うと（ステップＳ１０１）、マイクロスイッチ１５ａ、１５ｂがＯＮかＯＦＦかを判定する（ステップＳ１０２、Ｓ１０３）。いずれか一方、または両方がＯＦＦのときは、以後の点火ステップに進まない（ステップＳ１０７）。使用者は点火が行われないことから天板カバーが開いていないことを認知することになる。マイクロスイッチ１５ａ、１５ｂの両方がＯＮのときは、点火スパークを開始し（ステップＳ１０４）、次いでガス弁１２を開弁する（ステップＳ１０５）。開弁に伴いバーナ４ａに都市ガスが供給され、燃焼が開始される（ステップＳ１０６）。なお、バーナ燃焼中は常時、マイクロスイッチ１５ａ、１５ｂの両方がＯＮであるかを判定し（ステップＳ１０８）、ＯＮであれば燃焼を継続する（ステップＳ１１０）。燃焼中に誤ってストッパー３ａ、３ｂが取り外される等によりマイクロスイッチ１５ａ、１５ｂの一方又は両方がＯＦＦになると、制御部１３はこれを検知しガス弁１２に対して閉弁指示する（ステップＳ１０９）。
【００１３】
本実施形態では、バーナ４ａのインターロック機構１Ａについてのみ説明したが、バーナ４ｂ乃至４ｄについても同様のインターロック機構を備えている。
また、本実施形態ではマイクロスイッチ接点により開蓋状態を検知する方式としたが、これに限らず、例えばストッパー下端部に導電性材料を用い、ストッパーを挿入すると回路が導通するようにし、これにより開蓋状態を検知する方式とすることもできる。
＜ロッド固定タイプ＞
次に、本発明の他の実施形態である「ロッド固定タイプ」について説明する。図５は天板カバー付コンロ２０の開蓋状態の構成を示す図である。また、図６は天板カバー付コンロ２０の閉蓋状態を示す側面図である。コンロ２０が上述のコンロ１と異なる点は、取り付け、取り外し可能なストッパーに代えて、天板カバー２３の両端側に回動可能に固定されているロッド２４ａ、２４ｂを備えていることである。すなわち、天板カバー２３の右端には、支持点２７ａに回動可能に固定されるロッド２４ａを備えており、ロッド２４ａはガイド溝２５ａをスライド可能に構成されている。ガイド２５ａ溝内部にはロッド嵌入口２６ａが設けられており、ロッド２４ａは天板カバー２３を開けるのに伴ってガイド溝２５ａをスライドし、開蓋状態でロッド嵌入口２６ａに嵌入するように構成されている。ロッド嵌入口２６ａにはマイクロスイッチ（図示せず）が格納されており、ロッド２４ａが嵌入すると接点がＯＮとなるように構成されている。また、天板カバー２３の左端に配設されているロッド２４ｂについても、ロッド２４ａと全く同様に駆動する。
【００１４】
本実施形態において、天板カバー閉蓋時のインターロックインターロック機構については、上述のストッパー挿入タイプとほぼ同様である。すなわち、ロッド２４ａ、２４ｂのロッド嵌入口２６ａ、２６ｂへの嵌入によりマイクロスイッチ接点がＯＮとなる。この状態で使用者が点火操作を行うことにより正常に燃焼が開始される。しかし、ロッド２４ａ、２６ｂが嵌入していない状態で、すなわち、閉蓋状態ではマイクロスイッチ接点はＯＦＦであるため、点火操作を行っても点火しない。
【００１５】
＜操作パネル遮蔽タイプ＞
さらに、本発明の他の実施形態である「操作パネル遮蔽タイプ」について説明する。図７は、本実施形態に係る天板カバー付コンロ３０の開蓋状態を示す図である。また、図８は同閉蓋状態を示す側面図である。コンロ３０が上述の各実施形態と異なる点を挙げると以下の通りである。まず、天板カバー３２の前端部に操作パネル被覆部３２ａを備えている点である。なお、被覆部３２ａ中央部には把手３２ｂが設けられており、天板カバー３２の開閉操作を容易にしている。さらに、開蓋状態を維持する手段として、ヒンジ部３６には不図示のラチェット機構が組み込まれており、全開（約９０度開蓋）状態に維持可能に構成されている。なお、天板カバー３２を閉めるときには、解除ボタン３６ａを押すことによりラチェットを外すことができる。
【００１６】
図８を参照して、コンロ３０においては、天板カバー３２閉蓋時は被覆部３２ａが操作パネル部３４を遮蔽するため、使用者は物理的に操作ツマミ３７ａ乃至３７ｄを操作することができない。すなわち、被覆部３２ａが天板カバー閉蓋時に点火不可のフールプルーフを構成している。また、バーナ燃焼時に誤って天板カバー３２を閉じてしまった場合においても、耐熱ガラス３２ｃを通して燃焼していることを容易に認識できるため、直ちに開蓋して消火可能である。
【００１７】
＜熱検知タイプ＞
さらに本発明の他の実施形態である「熱検知タイプ」について説明する。図９は本実施形態に係る天板カバー付コンロ４０の開蓋状態を示す図である。コンロ１６が上述の「操作パネル遮蔽タイプ」と異なるのは、天板カバー４２に操作パネル被覆部を備えておらず、これに代えて天板カバー４２の裏面側に熱電対型温度センサ４３ａ乃至４３ｄを備えている点である。温度センサ４３ａ乃至４３ｄは天板カバー４２を閉じたときにバーナ４ａ乃至４ｃ及び排気口４５の直上に位置するように配設されている。その他の点については上述の「操作パネル遮蔽タイプ」と同一である。ラチェットによる天板カバー停止機構を備えている点についても同様である。
【００１８】
次に図１０をも参照して、天板カバー４２閉蓋時におけるインターロック機構について説明する。本実施形態におけるインターロック機構４０Ａは、上述のインターロック機構１Ａと同じく、制御部１３、バーナ４ａに都市ガスを供給するガス通路１１、ガス通路１１の途中に配設されるガス弁１２、バーナ４ａに点火するための点火プラグ１４、操作ツマミ９ａを備えている。さらに、温度センサ４３ａ乃至４３ｄと制御部１３間の信号授受を行う信号ラインＣ５乃至Ｃ８を備えている。なお、同図では、バーナ４ｂ乃至４ｄ及びこれらに付随する燃焼系統の表示を省略している。
【００１９】
インターロック機構４０Ａにおける制御は以下の通りである。天板カバー４２開蓋時にバーナ４ａに点火した場合には、天板カバー４２が大気開放されているため、温度センサ４３ａ乃至４３ｄ近傍で燃焼に伴う顕著な温度上昇はない。この場合、制御部１３は開蓋状態であると判断し、燃焼を継続させる。
【００２０】
次に、例えば天板カバー４２閉蓋時に誤って点火操作を行った場合、当初はバーナの燃焼が行われる。しかし、すぐに天板カバー４２内側温度が上昇するため、温度センサ４３ａの検知温度が予め定められた所定温度以上になると、制御部１３はガス弁１２に閉弁指示する。これによりガスの供給は停止され、バーナ燃焼は停止する。
【００２１】
本実施形態では、天板カバー４２内部の温度が所定の温度以上であることを判定して燃焼を停止させる方式としたが、これに限らず、例えば温度上昇率により判定する方式とすることもできる。また、温度検知手段として熱電対を用いたが、これに限らず、例えばサーミスタ、バイメタル等、他の温度検知手段を用いてもよい。さらに、所定の温度以上である場合に、ガス弁を閉弁して燃焼を停止させる方式としたが、これに限らず、例えば電源全体を遮断する方式とすることもできる。
【産業上の利用可能性】
【００２２】
本発明は、独立設置タイプ、ドロップインタイプ等、コンロのタイプを問わず広く適用可能である。
【図面の簡単な説明】
【００２３】
【図１】天板カバー付コンロ１のストッパー未挿入時の構成を示す図である。
【図２】同ストッパー挿入時の構成を示す図である
【図３】コンロ１のインターロック機構１Ａの構成を示す図である。
【図４】インターロック機構１Ａにおける制御フローを示す図である。
【図５】天板カバー付コンロ２０の開蓋状態を示す図である。
【図６】天板カバー付コンロ２０の閉蓋状態の側面図である。
【図７】天板カバー付コンロ３０の開蓋状態を示す図である。
【図８】同閉蓋状態を示す側面図である。
【図９】天板カバー付コンロ４０の開蓋状態を示す図である。
【図１０】インターロック機構４０Ａの構成を示す図である。
【符号の説明】
【００２４】
１、２０、３０、４０・・・・天板カバー付コンロ、
１Ａ、４０Ａ・・・・インターロック機構、
３ａ、３ｂ・・・・ストッパー、 
４ａ〜４ｃ・・・・バーナ、  
５・・・・グリル排気口、  
６、２３、３２、４２・・・・天板カバー、  
７ａ・・・・ストッパー挿入口、  
９ａ〜９ｄ・・・・操作ツマミ、  
１３・・・・制御部、  
１５ａ、１５ｂ・・・・マイクロスイッチ、  
２４ａ・・・・ロッド、  
２５ａ・・・・ガイド、  
２６ａ・・・・ロッド嵌入口、  
３２ａ・・・・操作パネル被覆部、  
３２ｃ・・・・耐熱ガラス、
４３ａ〜４３ｄ・・・・温度センサ
【図１】
2005326040.tif 000003
【図２】
2005326040.tif 000004
【図３】
2005326040.tif 000005
【図４】
2005326040.tif 000006
【図５】
2005326040.tif 000007
【図６】
2005326040.tif 000008
【図７】
2005326040.tif 000009
【図８】
2005326040.tif 000010
【図９】
2005326040.tif 000011
【図１０】
2005326040.tif 000012